(57)【要約】      （修正有）【課題】１枚の金属板を折曲して得た、耐久的で、軽量で量産に適う接合金具を提供。【解決手段】裏面を当接して締付ける平板状の固定材４の表面側に、横架材５の切割溝６に係合して互いに組付ける平板状の接合材７の基端を連設したものであって、左右両側部１ａ′，１ａ′に一対の舌状片８ａ，８ａと固定杆挿通用の透孔１０ａ，１１ａを対称的に設けた金属板で成る折曲体１と、該折曲体１に組付けた挟持筒２で構成し、金属板を対称軸ａ上で折り曲げて構成した前記接合材７と、該接合材７のの自由端側を前記舌状片８ａを残して前記対称軸ａに沿って互いに反対方向に直角に折曲して設けた前記固定材４とで前記折曲体１を構成する。また、該折曲体１の前記接合材７の延長上に位置する重合状態の舌状片８ａに、該舌状片８ａを内側にして前記挟持筒２を嵌着して前記構造材３に嵌入させる係合材８とする。【選択図】図３
2004211455.tif 000002
【特許請求の範囲】
【請求項１】
柱や胴差などの構造材に裏面を当接して前記構造材に締付ける平板状の固定材の表面側に、梁などの横架材の接合端部に設けた切割溝に係合して前記横架材と互いに組付ける平板状の接合材の基端を連設した建物用接合金物において、左右両側部のそれぞれに少くとも一対の舌状片と前記構造材や横架材に固定するための固定杆挿通用の、適宜数の透孔を前記両側部間に於いて対称的に設けた金属板で成る折曲体と、該折曲体に組付けた挟持筒で成り、前記金属板を対称軸上において折り曲げて構成した一対の重合板で成る前記接合材と、該接合材の前記一対の重合板の自由端側を前記舌状片を残して前記対称軸に沿って互いに反対方向に直角に折曲して設けた前記固定材とで前記折曲体を構成し、該折曲体の前記接合材の延長上に位置する重合状態の舌状片に、該舌状片を内側にして前記挟持筒を嵌着して前記構造材に嵌入させる係合材とした、建物用接合金物。
【発明の詳細な説明】
【０００１】
【産業上の利用分野】
本発明は、柱や胴差などの構造材に、梁や桁などの横架材を接合するために用いる建物用接合金物に関するものである。
【０００２】
【従来の技術】
柱や胴差などの構造材に裏面を当接して締付ける、単一な金属板より成る平板状の固定材の表面側に桁などの横架材の接合端部に設けた切割溝に係合して前記横架材と互いに組付ける、単一な金属板より成る平板状の接合材の基端を熔接して連設した構造のものがある（例えば、特許文献１参照）。
【０００３】
この従来例は、固定材と接合材が単一な金属板で成るため、耐荷重性を得るためには該金属板の板厚を厚くする必要があり、そのための重量が嵩み、計量化が望まれ、しかも、当該物品を得るためには熔接手段を要するため、量産的に好ましくはない。
【０００４】
この従来例の欠点を回避するものとして、自由端側の折返し部を介して互いに連続した一対の重合板で前記接合材を構成し、該接合材の前記重合板を前記自由端側に対応する基端側において互いに反対方向に折り返して前記固定材と成した、１枚の金属板を折曲して構成し、計量化を図り、量産に適するようにした構造のものがある（例えば、特許文献２参照）。
【０００５】
【特許文献１】
実開昭６０−６３６０１号公報
【特許文献２】
特開平１０−１５９１７９号公報
【０００６】
【発明が解決しようとする課題】
１枚の金属板を折曲して構成した前記従来例は接合材を構成する重合板同士を単に重ね合わせただけであると該重合板同士が容易に離開し易く、従って、重合板同士を熔接しているのが常態で、必ずしも量産に適うものではない。
【０００７】
【課題を解決するための手段】
柱や胴差などの構造材に裏面を当接して前記構造材に締付ける平板状の固定材の表面側に、梁などの横架材の接合端部に設けた切割溝に係合して前記横架材と互いに組付ける平板状の接合材の基端を連設した建物用接合金物において、左右両側部のそれぞれに少くとも一対の舌状片と前記構造材や横架材に固定するための固定杆挿通用の、適宜数の透孔を前記両側部間に於いて対称的に設けた金属板で成る折曲体と、該折曲体に組付けた挟持筒で成り、前記金属板を対称軸上において折り曲げて構成した一対の重合板で成る前記接合材と、該接合材の前記一対の重合板の自由端側を前記舌状片を残して前記対称軸に沿って互いに反対方向に直角に折曲して設けた前記固定材とで前記折曲体を構成し、該折曲体の前記接合材の延長上に位置する重合状態の舌状片に、該舌状片を内側にして前記挟持筒を嵌着して前記構造材に嵌入させる係合材とした、ものである。
【０００８】
【発明の実施の形態】
図面は本発明に係る建物用接合金物の一実施形態を示し、図１は一部欠截側面図、図２は背面図、図３は斜視図、図４は折曲体の展開図、図５は使用状態を示す縦断面図、図６は使用状態を示す横断面図である。
【０００９】
本発明に係る建物用接合金物Ａは、折曲体１と該折曲体１に組付けた挟持筒２とで構成し、折曲体１は金属板（鋼板や鉄板）をプレス成形して左右対称形とした素材板１ａで成り、該素材板１ａを折曲して、柱や胴差などの構造材３（図示のものは柱）に裏面を当接して前記構造材３に締付ける固定材４と、該固定材４の表面側に梁や桁などの横架材５（図示のものは梁）の接合端部５´に設けた切割溝６に係合して前記横架材５と組付ける接合材７および前記構造材３に嵌入させる係合材８を構成する前記挟持筒２とで構成する舌状片８ａを備えたものとしたものである。
【００１０】
素材板１ａは、前記の通り左右対称形の金属板でなり、その対称（仮想）軸ａによって区画される両側部１ａ´，１ａ´に切欠９ａ、第一透孔１０ａ、第二透孔１１ａおよび切込み８ｂを設けて構成した前記舌状片８ａのそれぞれを前記対称軸ａを中心として対称的に設けて構成したものである。
【００１１】
そして、素材板１ａの中央すなわち前記対称軸ａに沿っていわば山方向に二つ折りにして前記側部１ａ´，１ａ´を重ね合わせると、該側部１ａ´，１ａ´すなわち一対の重合板７ａ，７ａで構成される前記接合材７が構成され、かつ、前記対称軸ａの一端側に設けた、各側部１ａ´の前記切欠９ａ，９ａは互いに重なり合って接合材７の上端に位置する受支切欠９を構成し、この受支切欠９を構成する前記切欠９ａに前記対称軸ａに沿って並べるようにして設けた各一対の前記第一透孔１０ａ，１０ａも互いに重なり合って接合材７に前記横架材５を固定する固定杆１２用の挿通孔１０を構成することになる。
【００１２】
そして、前記舌状片８ａの基部を通り、前記対称軸ａに平行する仮想線（図示符号ｂ）に沿っていわば谷方向に接合材７を成した前記一対の重合板７ａ，７ａの自由端側を前記舌状片８ａを残して互いに１８０°方向に（各重合板７ａにおいては直角に）折曲すると、該部分が接合材７に対して直角方向に位置する前記固定材４が構成され、該固定材４には前記第二透孔１１ａで成る、固定杆１２Ａ貫通用の挿通孔１１が設けられ、また、接合材７の基端部の延長上に存するようにして前記側部１ａ´の前記舌状片８ａが互いに重なり合った状態で固定材４より突出した状態になって前記折曲体１を得ることになる。
【００１３】
この折曲体１の、互いに重合させた一対の舌状片８ａ，８ａで成る、固定材４からの一対の突出状部に円筒状の挟持筒２を、該舌状片８ａを内側にして嵌着することによって係合材８が構成され、かつ、実施形態の建物用接合金物Ａを構成することができる。
【００１４】
しかして、固定材４に設けた挿通孔１１と一致する貫通孔１３および固定材４の裏面側に突設した係合材８が成す輪郭形（円柱形）と一致する受入穴１４を構造材３に予め設けておき、受入穴１４に係合材８を係合して位置決めするようにして接合金物Ａを構造材３に組合わせ、固定材４の表面側から挿通孔１１および貫通孔１３に通しボルト１５の先端を順次通して締付けナット１６を螺合締付けることによって接合金物Ａは構造材３に固定される。
【００１５】
なお、通しボルト１５および締付けナット１６による接合金具Ａの構造材３に対する締付け作業時には、断面円形の係合材８が構造材３側の受入穴１４に密嵌され、しかも、該密嵌状態個所が複数個（実施形態は２個所）あるので、構造材３に対する接合金物Ａの仮止め状態は維持され、前記締付け作業は不都合なく行われる。
【００１６】
次いで、横架材５の接合端部５´に形成した切割溝６に接合金物Ａの接合材７を係合するようにして横架材５を接合材７に組合わせ、横架材５の上部側において前記切割溝６を直交するようにして予め固定した掛止杆１７を、接合材７に設けた受支切欠９に係合して横架材５を接合金物Ａの接合材７に掛止して仮止めし、接合材７に設けた挿通孔１０に、該挿通孔１０と一致するようにして横架材５側に予め設けた貫通孔１８を通じて（ドリフトピン）固定杆１２を貫通させることによって接合作業を終え、実施形態の接合金物Ａを用いた横架材５と構造材３との接合状態を得られる。
【００１７】
【発明の効果】
本発明は前記の通りの構成であるから、軽量化を図れ、量産に適する（熔接手段がないことによる）ことは勿論、１枚の金属板で折曲形成した接合金物に有り勝ちな、重合板同士の離開を、挟持筒によって確実に防止できると共に、該挟持筒を構成する係合材は構造材に対する固定材の固定手段の補強となって耐久的な製品を提供できると共に、外周が断面円形を成すので外力の付加に対する分散を図れ、従って、横架材側からの外力の負荷が集中してもこれを分散して構造材の損傷を防ぐことができる。
【図面の簡単な説明】
【図１】一部欠截側面図。
【図２】背面図。
【図３】斜視図。
【図４】折曲体の展開図。
【図５】使用状態を示す縦断面図。
【図６】使用状態を示す横断面図
【符号の説明】
１      折曲体
２      挟持筒
３      構造材
４      固定材
５      横架材
６      切割溝
７      接合材
８      係合材
【図１】
2004211455.tif 000003
【図２】
2004211455.tif 000004
【図３】
2004211455.tif 000005
【図４】
2004211455.tif 000006
【図５】
2004211455.tif 000007
【図６】
2004211455.tif 000008